(57)【特許請求の範囲】
【請求項１】
構造体におけるほぼ垂直の取付面に支柱を取付ける支柱取付構造であって、
前記取付面に、左右方向を向く突条を設け、この突条を、上下１対の挾持片の後端部をもって上下から挟み、両挾持片を、第１の締着手段により上下から締着することによって、前記取付面における左右方向の任意の部位に結合し、かつ前記支柱の下端を、上方の挾持片の上面に当接させるとともに、この支柱と上下の挾持片とを、第２の締着手段により上下から締着することによって、支柱を、両挾持片を介して、取付面に取付けたことを特徴とする支柱取付構造。
【請求項２】
支柱の下部に、左右方向に貫通する挿通孔を穿設し、この挿通孔にほぼ水平の横杆を貫通し、支柱の側面より外側方に突出する前記横杆の各端部を、第２の締着手段により、それぞれ上下の挾持片に締着した請求項１記載の支柱取付構造。
【請求項３】
支柱を、平面視コ字形であって、互いに入れ子状に嵌合する１対の支柱構成部材により構成し、両支柱構成部材を嵌合した時点で一致する挿通孔を、両支柱構成部材下部の左右方向に形成した請求項１または２記載の支柱取付構造。
【請求項４】
横杆の少なくとも下面の断面形状を円弧状とし、かつ上方の挾持片の上面に、前記横杆の下面の形状と補形をなして、横杆の下面を受支する凹部を設け、さらに、凹部の底面に、第２の締着手段を挿通する挿通孔を設けた請求項２または３に記載の支柱取付構造。
【請求項５】
上方の挾持片の上面に、支柱の下端部が嵌合される凹部または上方を向く筒部を設けた請求項１〜４のいずれかに記載の支柱取付構造。
【請求項６】
支柱の後面の一部が、取付面に当接するようにした請求項１〜５のいずれかに記載の支柱取付構造。
【請求項７】
取付面に、左右方向を向く上下２条の係止溝を設け、上下の係止溝間に挟まれた部分を突条とした請求項１〜６のいずれかに記載の支柱取付構造。
【請求項８】
突条の上下面を、前方に向かって上下に拡開する傾斜面とするか、または突条の上下面に、上下方向を向く突部を設け、上下の挟持片の後端部に、前記傾斜面または突部と係合する係止爪を設けた請求項１〜７のいずれかに記載の支柱取付構造。
【請求項９】
第１の締着手段と、第２の締着手段とを、上下の挾持片を貫通して、支柱の下端面に設けた上方を向くねじ孔に螺合するようにした１本のボルトにより兼用した請求項１〜８のいずれかに記載の支柱取付構造。
【請求項１０】
構造体が、左右１対の支持体と、それらの後部同士を連結する横連結材と、左右の支持体により支持された天板とを有するデスク装置であって、前記横連結材の前面を取付面とした請求項１〜９のいずれかに記載の支柱取付構造。
【請求項１１】
上下の挾持片のいずれか一方を支持体に固着することにより、支持体と横連結材とを結合した請求項１０記載の支柱取付構造。
【発明の詳細な説明】
【技術分野】
【０００１】
本発明は、支柱取付構造に関する。
【背景技術】
【０００２】
従来、構造体における取付面に、垂直の支柱を取付けるためには、支柱の周囲に垂直の取付片を設け、これを取付面にねじ止めするか、または接着して固定するのが一般的である。
【０００３】
また、構造体における取付面に凹入部を形成しておき、支柱に固定した固定部材から延出させた左右１対の支持片を前記凹入部内に挿入した後、ねじなどを用いて、互いに左右に押し広げて、凹入部の相対する内壁に支持片の側部を圧接させ、支柱を取付面に固定するものもある（例えば特許文献１参照）。
【０００４】
さらに、取付面に左右方向を向く上下１対の係止溝を形成しておき、この上下の係止溝の内側の縁部同士を、支柱に設けた上下１対の取付材により上下から挟持することによって、支柱を取付面に固定するものもある（特許文献２参照）。
【特許文献１】実開昭５２−１３６４０５号公報
【特許文献２】特開２００４−１５９７５０号公報
【発明の開示】
【発明が解決しようとする課題】
【０００５】
しかし、取付片によって支柱を支持するものや、特許文献１のものでは、取付面に対する支柱の取付位置を変更する場合には、取付面にネジ孔加工や、凹入部などの加工を施す必要が生じ、加工工数、コストを要するとともに、取付面の体裁も悪いなどの問題がある。
【０００６】
また、特許文献２の取付構造にあっては、支柱が重量物を支持する場合に、その取付強度に不安が生ずるとともに、支柱取付用の部材が、他の部材に取付られているような場合では、支柱の支持構造のみならず、支柱取付部材の他の部材への取付強度にも影響を与えかねない。
【０００７】
本発明は、従来の技術が有する上記のような問題点に鑑み、支柱を、簡単な構造で、強固かつ安定した取付状態を保って、取付面に固定することができるようにした支柱取付構造を提供することを目的としている。
【課題を解決するための手段】
【０００８】
本発明によると、上記課題は次のようにして解決される。
（１）構造体におけるほぼ垂直の取付面に支柱を取付ける支柱取付構造であって、前記取付面に、左右方向を向く突条を設け、この突条を、上下１対の挾持片の後端部をもって上下から挟み、両挾持片を、第１の締着手段により上下から締着することによって、前記取付面における左右方向の任意の部位に結合し、かつ前記支柱の下端を、上方の挾持片の上面に当接させるとともに、この支柱と上下の挾持片とを、第２の締着手段により上下から締着することによって、支柱を、両挾持片を介して、取付面に取付ける。
【０００９】
（１）上記(１)項において、支柱の下部に、左右方向に貫通する挿通孔を穿設し、この挿通孔にほぼ水平の横杆を貫通し、支柱の側面より外側方に突出する前記横杆の各端部を、第２の締着手段により、それぞれ上下の挾持片に締着する。
【００１０】
（３）上記(１)または（２）項において、支柱を平面視コ字形であって、互いに入れ子状に嵌合する１対の支柱構成部材により構成し、両支柱構成部材を嵌合した時点で一致する挿通孔を、両支柱構成部材下部の左右方向に形成する。
【００１１】
（４）上記(１)〜(３)項のいずれかにおいて、横杆の少なくとも下面の断面形状を円弧状とし、かつ上方の挾持片の上面に、前記横杆の下面の形状と補形をなして、横杆の下面を受支する凹部を設け、さらに、凹部の底面に、第２の締着手段を挿通する挿通孔を設ける。
【００１２】
（５）上記(１)〜(４)項のいずれかにおいて、上方の挾持片の上面に、支柱の下端部が嵌合される凹部または上方を向く筒部を設ける。
【００１３】
（６）上記（１）〜(５)項のいずれかにおいて、支柱の後面の一部が、取付面に当接するようにする。
【００１４】
（７）上記（１）〜(６)項のいずれかにおいて、取付面に、左右方向を向く上下２条の係止溝を設け、上下の係止溝間に挟まれた部分を突条とする。
【００１５】
（８）上記（１）〜(７)項のいずれかにおいて、突条の上下面を、前方に向かって上下に拡開する傾斜面とするか、または突条の上下面に、上下方向を向く突部を設け、上下の挟持片材の後端部に、前記傾斜面または突部と係合する係止爪を設ける。
【００１６】
（９）上記(１)〜（８）項のいずれかにおいて、第１の締着手段と、第２の締着手段とを、上下の挾持片を貫通して、支柱の下端面に設けた上方を向くねじ孔に螺合するようにした１本のボルトにより兼用する。
【００１７】
（１０）上記(１)〜（９）項のいずれかにおいて、構造体が、左右１対の支持体と、それらの後部同士を連結する横連結材と、左右の支持体により支持された天板とを有するデスク装置であって、前記横連結材の前面を取付面とする。
【００１８】
（１１）上記（１０）項において、上下の挾持片のいずれか一方を支持体に固着することにより、支持体と横連結材とを結合する。
【発明の効果】
【００１９】
本発明によると、次のような効果を奏することができる。
請求項１記載の発明によると、第２の締着手段の支柱に対する締着力が、第１の締着手段の締着力に協働して、取付面に対する上下の挟持片の締着力を増大させることができるので、重量物を支持する場合であっても、支柱を、簡単な構造で強固かつ安定した取付状態を保って、取付面に取付けることができる。
【００２０】
請求項２記載の発明によると、左右平均化した締着力により、支柱を上下の挟持片間に強固に固着することができる。
【００２１】
請求項３記載の発明によると、支柱をプレス成形により簡単に製作でき、二重の部分では、曲げ剛性を高めることができる。
【００２２】
請求項４記載の発明によると、外観がシンプルとなる。
【００２３】
請求項５記載の発明によると、支柱の下端を、上下の挟持部材の一方に強固に、安定よく固着させることができる。
【００２４】
請求項６記載の発明によると、支柱取付状態で支柱の少なくとも一面が取付面によって位置決めされ、支柱の傾きを防止できる。
【００２５】
請求項７記載の発明によると、取付面を平坦化でき、支柱の位置決め用として好適なものとなる。
【００２６】
請求項８記載の発明によると、上下の挟持片が取付面に対し、外れ止めされるため、脱落などを防止できる。
【００２７】
請求項９記載の発明によると、一本のボルトにより支柱の固定と、上下の挟持片の取付面への締着を兼用できる。
【００２８】
請求項１０記載の発明によると、デスク上に配置されるキャビネットなどの机上搭載物を、支柱により強固に支持できる。
【００２９】
請求項１１記載の発明によると、上下の挟持片を、支柱の支持だけでなく、デスクにおける支持体と横連結材との連結用金具に共用できる。
【発明を実施するための最良の形態】
【００３０】
図１〜図７は、本発明の第１の実施形態を備える机上配置形キャビネット付デスク、およびキャビネット支持用支柱の取付構造を示す。
図１は、デスク１の全体構成を示し、デスク１は、ユニット化された部材により構成され、支持体である左右１対の脚２、２と、両脚２、２上に設けられた想像線で示す天板３と、各脚２の上部後端に、結合手段４をもって結合された左右方向を向く横連結材、すなわちビーム５と、ビーム５の中間部前面に固定され、天板３の左右方向の中間部下面を支持するブラケット６とを備えている。
【００３１】
各脚２は、垂直の脚本体７と、脚本体７の下端より前方に向けて水平に延出する脚杆８と、脚本体７の上端より前方に向けて水平に延出する天板支持腕９とを備え、脚杆８の下端前後部には、それぞれ不陸調整用のアジャスタ１０が設けられ、また各天板支持腕９の上面前後部には、天板３の下面に当接し、一端が支持腕９と同一面となるように固定され、かつ他端が２本のボルトをもって天板３に固着される前後１対の取付片１１、１１が配置されている。
【００３２】
左右の各結合手段４の上部には、角柱状の支柱１２が嵌合固定され、各支柱１２の上端には、デスク１の左右方向長さと同一長さの横長状のキャビネット１３が取付けられている。キャビネット１３は、その前面開口に設けた前部扉１４を開閉することにより、物入れなどとして活用しうるようにしたものであり、オプション部品として、デスク１の上方に搭載されている。
【００３３】
なお、天板３の後縁と、ビーム５の前面との間には、左右方向に長い隙間が形成され、この隙間には、図示を省略したＯＡ機器等の配線用の配線ダクトと、その上面を開閉するカバーとが設けられる。
【００３４】
左右の結合手段４は、図２〜図３に拡大して示すように、脚２の側面に固着される下部側挟持片である固定部材１５と、固定部材１５の水平な上面に載置され、かつ第１の締着手段としての六角孔付きボルトＢ１（以下単にボルトＢ１と称する）をもって締着される上部側挟持片である押え部材１６とを備えている。これら固定部材１５，押え部材１６は、共に金属ダイキャスト成形体である。
【００３５】
固定部材１５は、側面視ほぼ倒立前向Ｌ字形に形成され、その外側端には、側面視方形の脚取付用フランジ１７が一体的に形成されている。
【００３６】
脚取付用フランジ１７の外側の垂直面は、脚２の後上部の左右両側面に形成された凹凸面である位置決め面１８と補形をなす凹凸面となっている。また、脚取付用フランジ１７の前下部と後上部とには、それぞれ左右方向を向く通孔１７ａが貫設され、これに応じて、位置決め面１８には、ねじ孔１８ａが設けられている。通孔１７ａに通した固定手段としてのボルトＢ２を、ねじ孔１８ａに螺合して締め付けることにより、固定部材１５は、脚２に固着されている。
【００３７】
なお、左右の脚２の外側における位置決め面１８は、隣接するビーム５を取付けるためのものであり、隣接するビーム５が存在しない場合には、エンドプレート１９により、脚２の外側面と整合するように閉蓋されている。
【００３８】
固定部材１５の上面中央には、支柱１２の取付用の受孔となる、上方と後方とに開口する支柱１２の断面とほぼ等しい平面視矩形状の嵌合凹部１５ａが形成されている。この嵌合凹部１５ａの両側後部には、前記ボルトＢ１を螺合しうる１対のねじ孔１５ｂが設けられ、嵌合凹部１５ａの両側前部には、１対の位置決め孔１５ｃが設けられている。
【００３９】
さらに、固定部材１５の後端下部には、ビーム５に取付けるための後上向きに傾斜する係止爪１５ｄが、左右方向の全長に亘って、一体的に設けられている。
【００４０】
押え部材１６の中央には、前記嵌合凹部１５ａと同一寸法の矩形状の嵌合孔１６ａが貫設され、嵌合孔１６ａの両側後部には、ボルトＢ１の挿通用の１対の取付孔１６ｂが穿設されている。嵌合孔１６ａの両側前部には、位置決め孔１５ｃに嵌合される１対の位置決め突起１６ｃ（図６参照）が突設されている。さらに押え部材１６の後端中央部には、ビーム５に取付けるためのバー状をなす後下向き傾斜する係止爪１６ｄが、左右方向の全長に亘って一体的に設けられている。
【００４１】
支柱１２は、断面矩形状の中空鋼管からなり、その下部には、左右方向の挿通孔１２ａが穿設され、この貫通孔１２ａには、支柱１２の固定用の丸棒状の横杆２０が挿通されるようになっている。横杆２０の支柱１２から左右へ突出する部分は取付部２０ａとなっている。この各取付部２０ａは、上部を切り欠いて平坦とされ、ここに、上下方向の第２の締着手段であるボルトＢ３の取付孔２０ｂが穿設されている。
【００４２】
押え部材１６の左右中央には、取付部２０ａを受支する円弧状の支持用凹部１６ｅが設けられ、この支持用凹部１６ｅの内部中央には、ボルトＢ３を挿通する上下方向の取付孔１６ｆが設けられ、この取付孔１６ｆに対応して、固定部材１５の左右中央には、ねじ孔１５ｅが設けられている。
【００４３】
ビーム５は、アルミニウム合金の押出し成形体であり、その前面上部には、押え部材１６の係止爪１６ｄが係合される前上向きに傾斜する下縁を有するあり溝形の上部係止溝５ａが、左右方向に沿って平行に形成され、また前面下部には、固定部材１５の係止爪１５ｄが係合される前下向きに傾斜する上縁を有するあり溝形の下部係止溝５ｂが、左右方向に沿って平行に形成されている。これら上下の係止溝５ａ，５ｂをもって内向きの突条としている。また、ビーム５の左右の端面には、閉塞板となるエンドキャップ２１が嵌着され、これにより、上下の係止溝５ａ、５ｂの側端は閉蓋されている。
【００４４】
上記構成において、予め脚取付用フランジ１７を脚本体７の後部上端内側に固定し、固定部材１５の係止爪１５ｄをビーム５の下部側係止溝５ｂに係合し、次いで、押え部材１６を固定部材１５の上面に位置決め重合するとともに、その係止爪１６ｄを上部側係止溝５ａに係合する。
【００４５】
このようにして、脚本体７とビーム５との取付位置を確定した後、１対のボルトＢ１を各取付孔１６ｂを経て各ねじ孔１５ｂに螺合すれば、押え部材１６と固定部材１５は、図３に示すように、所定の締着力によりビーム５に固定される。この締着作業を、ビーム５の左右で行えば、天板３を除いてデスク１の形がほぼ完成し、自立可能な状態となる。
【００４６】
その後、支柱１２の下端を、嵌合孔１６ａを経て、嵌合凹部１５ａの内底面に当接させる。なお、この取付作業は、左右同時に行い、位置ずれなどがあった場合には、適宜ボルトＢ１を緩めて、結合手段４をビーム５の左右方向にずらせばよい。
【００４７】
その後、支柱１２に挿通した横杆２０の両側取付部２０ａを、押え部材１６の支持用凹部１６ｅに位置合せして、取付部２０ａの平坦面を、押え部材１６の上面と一致させ、取付孔２０ｂ，１６ｆ同士を一致するべく回動調整する。
【００４８】
ついで、左右の１対のボルトＢ３を各取付孔２０ｂ，１６ｆを経て、各ねじ孔１５ｅに螺合すれば、図４に示すように、支柱１２の下部を、結合手段４上に直立状態に固定することができる。固定状態では、支柱１２の下部側左右において、横杆２０の表面は、押え部材１６の上面と同一面となり、僅かにボルトＢ３の頭部が突出しているだけであるので、支柱１２の取付状態における外観は体裁良くなる。
【００４９】
また、図５〜図７に示すように、支柱１２が固定された状態で、支柱１２の下部における３面は、嵌合孔１６ａおよび嵌合凹部１５ａの内面に囲われ、残る１面は、ガイドビーム５の前面に沿って接し、これらにより、支柱１２は、直立状態に位置決め固定される。
【００５０】
また、図５、図６では、固定部材１５と押え部材１６の接合状態で、それぞれの係止爪１５ｄ，１６ｄの上下間隔と、ビーム５の上下の係止溝５ａ，５ｂの上下縁間の間隔が等しいように見えるが、実際には、単に両係止爪１５ｄ、１６ｄを係止溝５ａ、５ｂに接合した状態では、係止爪１５ｄ、１６ｄの間隔は係止溝５ａ、５ｂ間隔よりは僅かに小さく設定されているので、ボルトＢ１による締着力が作用することによって、その差分に応じた引締め力が発生し、固定部材１５と押え部材１６は、ビーム５の前面に強固に締着される。
【００５１】
この作用と同様にして、横杆２０の押え部材１６側の凹部１６ｅに対する嵌合高さに対して、支柱１２の下端が嵌合凹部１５ａの内底面に接触する高さも若干小さく設定され、ボルトＢ３の締着力により、その差分に応じて、支柱１２の下端を嵌合凹部１５ａの内底面に締着させる引締め力が作用し、支柱１２は、その下端を結合手段４に強固に締着される。
【００５２】
また、ボルトＢ３の締着力は、支柱１２だけでなく、同時に固定部材１５と押え部材１６同士を引締める力としても作用するため、ボルトＢ１による締着力と協働して、結合手段４をさらに大きな締着力によってビーム５の前面に締着させる補助手段となり、支柱１２およびこれの上部に配設されたキャビネット１３の荷重およびモーメントに対する十分な支持剛性が得られると同時に、結合手段４そのものの、ビーム５に対する取付強度を増すことができるものとなる。すなわち、支柱１２の取付けによる結合手段４のビーム５に対する取付強度を損わないばかりでなく、逆に取付強度は増すこととなる。
【００５３】
なお、この第１の実施形態においては、横杆２０の下面が、請求項１における「支柱の下端」に相当する。
【００５４】
次に、支柱の形状を変更した第２の実施形態を図８，図９を用いて説明する。なお、以降の説明においては、第１実施形態と同一箇所には同一符号を付し、異なる箇所にのみ、異なる符号を用いる。
【００５５】
図８、図９において、支柱３０は、平面視コ字形をした後部片３１と、後部片３１の内側に入れ子状に嵌合される平面視略Ｍ形の前部片３２とを備えている。後部片３１の下部左右方向両側には、挿通孔３１ａが形成され、同じく前部片３２の下部左右方向両側には、挿通孔３２ａが形成されている。これら挿通孔３１ａ，３２ａは、両片３１，３２を嵌合した状態で一致し、横杆２０の挿通が可能となっている以外は、取付構造を含め、第１の実施形態におけるものと同じである。
【００５６】
第２の本実施形態では、プレス成形により支柱を簡単に製作できるため、安価であり、左右両側面の板厚が２倍になるため、曲げ強度を高くすることができる。なお、前部片３２の前面をＶ字形としたのは、意匠目的のためである。さらに横杆２０を挿通することによって、嵌合状態での位置決めや外れ止めも行うことができる。
【００５７】
次に、支柱の取付構造を変更した第３の実施形態を、図１０を用いて説明する。図１０において、支柱１２は中空の角形鋼管から構成されていることは、第１の実施形態と同じであるが、その底面内側には、中央に上下方向に貫通する取付孔４０ａを形成した底板４０が、溶接などによって固定されており、底板４０の上面には、取付孔４０ａに連通する溶接ナット４１が一体に設けられている。
【００５８】
押え部材１６は、有底であって、支柱１２を、その嵌合凹部４２内に位置決め固定しており、その底面板４２ａは固定部材１５の上面に重合されている。
【００５９】
これに対して、固定部材１５、押え部材１６の底面板４２ａには、それぞれの上下を貫通して支柱１２側の取付孔４０ａに連通する取付孔４３ａ，４３ｂが形成され、固定部材１５の下方よりボルトＢ３を挿通し、その先端を溶接ナット４１に螺合することによって、第１、第２の実施の形態と同じく、支柱１２の固定を行うと同時に、ボルトＢ３によりビーム５に対する固定部材１５と押え部材１６間の締着強度を得られるようにしてある。
【００６０】
さらに、この実施形態では、固定部材１５の後端より先端側に向けて断面Ｌ字形のブラケット４４を一体的に立設し、その上面を天板３の後端上面に当接しているとともに、取付用ボルトＢ４により、天板３に連結してある。
【００６１】
この実施形態では、支柱１２の固定作業が上向き作業となるほかは、他の実施形態のものと同じ効果があり、また意匠的には、取付の構造部分が、外からは全く見えないため、外観上の体裁もさらに良好となる。
【００６２】
本発明は、上記実施形態のみに限定されるものではなく、幾多の変形した態様での実施が可能である。
例えば、ビーム５に対する結合手段４の取付けに、第１の締着手段として１対のボルトＢ１を用い、結合手段４に対する支柱の取付けに、第２の締着手段として１対のボルトＢ３を用いたが、いずれのボルトにおいても、ビーム５に対する結合手段４の締着作用があるため、支柱取付用のボルトＢ３を結合手段４のビーム５への取付に兼用し、ボルトＢ３による支柱１２の取付と同時に、結合手段４をビーム５に取付けるようにすれば、ボルトの本数を削減できる。
【図面の簡単な説明】
【００６３】
【図１】本発明をデスク上に配置されるキャビネット用支柱に適用した第１実施形態におけるデスクの全体構成を示す斜視図である。
【図２】図１の円Ａ内における支柱の取付位置の部材構成を示す拡大分解斜視図である。
【図３】同じく図１の円Ａ内において、支柱以外の部材を組立た状態を示す一部分解の拡大斜視図である。
【図４】同じく図１の円Ａ内において、支柱を組付けた状態を示す拡大斜視図である。
【図５】支柱組立状態の横断平面図である。
【図６】図５のVI−VI線に沿う縦断面図である。
【図７】図５のVII−VII線に沿う縦断面図である。
【図８】支柱形状を変更した第２実施形態を示す一部分解の拡大斜視図である。
【図９】同じく組立状態を示す横断平面図である。
【図１０】支柱の取付構造を変更した第３実施形態を示す縦断面図である。
【符号の説明】
【００６４】
１  デスク
２  脚
３  天板
４  結合手段（挟持手段）
５  ビーム（横連結材）
５ａ  上部係止溝
５ｂ  下部係止溝
６  ブラケット
７  脚本体
８  脚杆
９  天板支持腕
１０  不陸調整用アジャスタ
１１  取付片
１２  支柱  
１３  キャビネット
１４  前部扉
１５  固定部材（下部側挟持片）
１５ａ  嵌合凹部
１５ｂ  ねじ孔
１５ｃ  位置決め孔
１５ｄ  係止爪
１５ｅ  ねじ孔
１６  押え部材（上部側挟持片）
１６ａ  嵌合孔
１６ｂ  取付孔
１６ｃ  位置決め用突起
１６ｄ  係止爪
１６ｅ  支持用凹部
１６ｆ  取付孔
１７  脚取付用フランジ
１７ａ  通孔
１８  位置決め面
１８ａ  ねじ孔
１９  エンドプレート
２０  横杆
２０ａ  取付部
２０ｂ取付孔
２１  エンドキャップ
３０  支柱
３１  後部片
３２  前部片
３１ａ、３２ａ  挿通孔
４０  底板
４０ａ  取付孔
４１  溶接ナット
４２  支柱嵌合用凹部
４２ａ  底面板
４３ａ，４３ｂ  取付孔
４４  ブラケット
Ｂ１  六角孔付きボルト（第１の締着手段）
Ｂ２  六角孔付きボルト（固定手段）
Ｂ３  六角孔付きボルト（第２の締着手段）
Ｂ４  取付用ボルト
【図１】
0005047756.tif 000002
【図２】
0005047756.tif 000003
【図３】
0005047756.tif 000004
【図４】
0005047756.tif 000005
【図５】
0005047756.tif 000006
【図６】
0005047756.tif 000007
【図７】
0005047756.tif 000008
【図８】
0005047756.tif 000009
【図９】
0005047756.tif 000010
【図１０】
0005047756.tif 000011